(57)【特許請求の範囲】
【請求項１】
エマルジョンインキを用いて用紙に画像を印刷する印刷部と、この印刷部に用紙を給紙する給紙部と、この給紙部から前記印刷部を経て排紙部に至る用紙搬送経路中に配設された用紙搬送部とを具備する印刷装置において、前記用紙搬送部は、前記印刷部により印刷された印刷物の印画部に接触させたときに印画部の表面に存在する余分のエマルジョンインキを顔料とそれ以外の成分とに分離して除去する多孔質層と、この多孔質層で分離した顔料以外の成分を吸収して保持する保持層とを有するインキ除去シートによって形成された搬送ベルトを具備することを特徴とする印刷装置。
【請求項２】
前記用紙搬送部は、前記印刷部と前記排紙部との間に配設されている請求項１記載の印刷装置。
【請求項３】
前記印刷部は、用紙搬送方向における異なる位置で用紙に画像を転写する複数の転写部を備え、
前記用紙搬送部は、前記転写部の間に配設されている請求項１記載の印刷装置。
【請求項４】
前記印刷部は、用紙搬送方向における異なる位置で用紙に片面ずつ画像を転写する複数の転写部を備え、
前記用紙搬送部は、下流側の前記転写部に配設されている請求項１記載の印刷装置。
【請求項５】
前記インキ除去シートの多孔質層に残ったエマルジョンインキ中の顔料を除去するクリーニング手段を具備する請求項１ないし４の何れか一記載の印刷装置。
【請求項６】
前記搬送ベルトは、搬送ローラに交換自在に巻回されている請求項１ないし５の何れか一記載の印刷装置。
【請求項７】
前記インキ除去シートの多孔質層に除去されたエマルジョンインキの水分を蒸発させる乾燥手段を具備する請求項１ないし６の何れか一記載の印刷装置。
【請求項８】
前記インキ除去シートの保持層に保持された顔料以外の成分を転移させる転移手段を具備する請求項１ないし７の何れか一記載の印刷装置。
【請求項９】
印刷装置によりエマルジョンインキを用いて印刷された印刷物を搬送する用紙搬送部と、前記用紙搬送部により搬送された印刷物を収納する収納部とを具備する印刷物排紙収納装置において、前記用紙搬送部は、印刷物の印画部に接触させたときに印画部の表面に存在する余分のエマルジョンインキを顔料とそれ以外の成分とに分離して除去する多孔質層と、この多孔質層で分離した顔料以外の成分を吸収して保持する保持層とを有するインキ除去シートによって形成された搬送ベルトを具備することを特徴とする印刷物排紙収納装置。
【請求項１０】
前記インキ除去シートの多孔質層に残ったエマルジョンインキ中の顔料を除去するクリーニング手段を具備する請求項９記載の印刷物排紙収納装置。
【請求項１１】
前記搬送ベルトは、搬送ローラに交換自在に巻回されている請求項９又は１０記載の印刷物排紙収納装置。
【請求項１２】
前記インキ除去シートの多孔質層に除去されたエマルジョンインキの水分を蒸発させる乾燥手段を具備する請求項９ないし１１の何れか一記載の印刷物排紙収納装置。
【請求項１３】
前記インキ除去シートの保持層に保持された顔料以外の成分を転移させる転移手段を具備する請求項９ないし１２の何れか一記載の印刷物排紙収納装置。
【発明の詳細な説明】
【０００１】
【発明の属する技術分野】
本発明は、印刷装置及び印刷物排紙収納装置に関する。
【０００２】
【従来の技術】
従来、エマルジョンインキを用いて印刷する印刷装置として、平版印刷装置、凹版印刷装置、凸版印刷装置、孔版印刷装置等があるが、孔版印刷装置では殆どエマルジョンインキを使用している。このような印刷装置に使用されているエマルジョンインキは、不乾性油や不揮発性油に顔料を均一に分散させた油相約１０〜５０％に水相を約９０〜５０％乳化させたもの、いわゆるＷ／Ｏ型（油中水型）エマルジョンであり、油相中には、必要に応じて溶剤、樹脂、乳化剤、界面活性剤等が含まれている。水相中には、必要に応じて湿潤剤、水溶性樹脂、電解質、防黴剤、酸化防止剤等の水溶性添加物が含有されている。
【０００３】
ところで、このようなエマルジョンインキを用いる印刷装置において、印刷直後の印刷物の印画部（転移されたエマルジョンインキによる像）は、通常そのまま放置させて自然乾燥によって乾燥している。具体的には、印刷後は、エマルジョンインキ中の油相成分を用紙中に自然に浸透させ、水相成分を自然に大気中に蒸発させるという、単なる放置に任せている。
【０００４】
そのため、印刷装置において連続的に印刷された印刷物を排紙トレイの上に重ねて排紙すると、先に排紙された印刷物上の印画部を構成するエマルジョンインキの一部が、後から排紙された印刷物の裏面に付着するという、いわゆる「裏移り」と称せられる不具合が発生する。また、印刷直後のエマルジョンインキに触れると、乾燥していないエマルジョンインキにより指や衣服が汚れたり、印刷物上の画像が損なわれるという不具合が発生する。特に、孔版印刷装置によって形成されたエマルジョンインキの像は、その像の盛り上がりが他の印刷装置により印刷されたエマルジョンインキの像に比して大きく、上述の不具合の発生は顕著なものとなっている。
【０００５】
このような不具合を解決するために、実開昭５５−１５９１４９号公報に記載されているように、例えば、印刷物を放熱源からの熱により非接触状態で加熱して乾燥することが知られている。
【０００６】
また、特開平２−１６０５３号公報に記載されているように、繰り出した帯状の余剰インキ転写紙を印刷物に押し当てることにより、印刷物上の余剰インキを剥ぎ取るようにした発明、特開平１−２０２４８７号公報に記載されているように、印刷物の余剰インキをローラに転写させ、それをシートによりクリーニングする発明、特開平７−１３２５８６号公報或いは特開平８−２５８２４４号公報に記載されているように、インキに相容せず且つインキよりも表面張力の低い余剰インキ除去液を塗布したローラを印刷物に接触させ、そのローラにより印刷物上のインキを剥ぎ取る発明がある。また、特開平９−３９３６２号公報に記載されているように、エマルジョンインキを用いて印刷した直後に、印刷物（画像担持体）と剛体との間で印画部のエマルジョンインキを押圧し、エマルジョンインキを破壊させて固定像を得ることにより、裏移りを防止する発明がある。
【０００７】
【発明が解決しようとする課題】
実開昭５５−１５９１４９号公報に記載されているように、印刷物を放熱源からの熱だけで乾燥するようにした技術は、エマルジョンインキに多量の水分が含まれているため、乾燥後の印刷物に波打ちが生じたり、エマルジョンインキ中の顔料の凝集が発生しチョーキングの悪い画像になるという問題がある。また、印刷物に波打ちが生ずると、排紙トレイ上において印刷物が不揃いとなり易く、積層された印刷物の間に隙間が生ずるため積層枚数が少なくなる不具合もある。さらに、印刷物のインキの乾燥を加熱のみに依存すると、加熱が連続して行われるため、加熱部でジャムが発生すると印刷物が異常に加熱されるおそれがあり、さらに、放熱源の温度が乾燥可能状態に立ち上げるために長い準備時間を必要とする。
【０００８】
特開平２−１６０５３号公報に記載されているように、帯状の余剰インキ転写紙を印刷物に押し当てることにより、印刷物上の余剰インキを剥ぎ取るようにした発明は、大量の余剰インキ転写紙を消費するため不経済である。また、特開平１−２０２４８７号公報に記載された発明は、ローラ上に転写させた余剰インキをクリーニングするために大量のクリーニングシートを消費するため不経済である。
【０００９】
特開平７−１３２５８６号公報或いは特開平８−２５８２４４号公報に記載された発明は、印刷物上のインキを剥ぎ取るための余剰インキ除去液の補充や交換等のメンテナンスを必要とし、また、余剰インキ除去液をこぼしてしまうことがあるので操作が煩わしい。
【００１０】
特開平９−３９３６２号公報に記載された発明は、エマルジョンインキを破壊させて固定像を得ているが、回収タンクに回収するエマルジョンインキが液状であるため、廃棄及び清掃が困難である。
【００１１】
【課題を解決するための手段】
請求項１記載の印刷装置は、エマルジョンインキを用いて用紙に画像を印刷する印刷部と、この印刷部に用紙を給紙する給紙部と、この給紙部から前記印刷部を経て排紙部に至る用紙搬送経路中に配設された用紙搬送部とを具備する印刷装置において、前記用紙搬送部は、前記印刷部により印刷された印刷物の印画部に接触させたときに印画部の表面に存在する余分のエマルジョンインキを顔料とそれ以外の成分とに分離して除去する多孔質層と、この多孔質層で分離した顔料以外の成分を吸収して保持する保持層とを有するインキ除去シートによって形成された搬送ベルトを具備する。
【００１２】
したがって、印刷物の印画部の余分なエマルジョンインキを搬送ベルトを兼ねたインキ除去シートの多孔質層により顔料とそれ以外の溶媒成分等の成分とに分離して除去し、顔料以外の溶媒成分等の成分を保持層で吸収して保持することができる。このため、印刷物上の余分なエマルジョンインキの除去能力を高めることが可能となる。
【００１３】
請求項２記載の印刷装置は、請求項１記載の印刷装置であって、前記用紙搬送部は、前記印刷部と前記排紙部との間に配設されている。
【００１４】
したがって、印刷済みの用紙を排紙部に排紙する前に余分なエマルジョンインキを除去することが可能となる。
【００１５】
請求項３記載の印刷装置は、請求項１記載の印刷装置であって、前記印刷部は、用紙搬送方向における異なる位置で用紙に画像を転写する複数の転写部を備え、前記用紙搬送部は、前記転写部の間に配設されている。
【００１６】
したがって、上流側の転写部により用紙に転写した画像の余分なエマルジョンインキを除去した状態で次工程の転写部に用紙を搬送することが可能となる。
【００１７】
請求項４記載の印刷装置は、請求項１記載の印刷装置であって、前記印刷部は、用紙搬送方向における異なる位置で用紙に片面ずつ画像を転写する複数の転写部を備え、前記用紙搬送部は、下流側の前記転写部に配設されている。
【００１８】
したがって、上流側の転写部により用紙の一方の面に転写した画像の余分なエマルジョンインキを、下流側の転写部により用紙の他方の面に画像を転写するときに除去することが可能となる。
【００１９】
請求項５記載の印刷装置は、請求項１ないし４の何れか一記載の印刷装置であって、前記インキ除去シートの多孔質層に残ったエマルジョンインキ中の顔料を除去するクリーニング手段を具備する。
【００２０】
したがって、多孔質層によるエマルジョンインキの分離除去作用を長期に亘り促進させることが可能となり、また、インキ除去シートから印刷物への顔料の再転写を防止することが可能となる。
【００２１】
請求項６記載の印刷装置は、請求項１ないし５の何れか一記載の印刷装置であって、前記搬送ベルトは、搬送ローラに交換自在に巻回されている。
【００２２】
したがって、インキ除去シートを交換することにより、長期間に亘り印刷物上の余分なエマルジョンインキを除去することが可能となる。
【００２３】
請求項７記載の印刷装置は、請求項１ないし６の何れか一記載の印刷装置であって、前記インキ除去シートの多孔質層に除去されたエマルジョンインキの水分を蒸発させる乾燥手段を具備する。
【００２４】
したがって、多孔質層上のエマルジョンインキは水分が乾燥手段により速やかに蒸発されて粘度が低くなるので、多孔質層上のエマルジョンインキの浸透性が促進され、多孔質層上のエマルジョンインキを短時間で顔料とそれ以外の成分とに分離することが可能となる。
【００２５】
請求項８記載の印刷装置は、請求項１ないし７の何れか一記載の印刷装置であって、前記インキ除去シートの保持層に保持された顔料以外の成分を転移させる転移手段を具備する。
【００２６】
したがって、保持層におけるエマルジョンインキの溶媒成分の吸収能力をさらに高めることが可能となる。
【００２７】
請求項９記載の印刷物排紙収納装置は、印刷装置によりエマルジョンインキを用いて印刷された印刷物を搬送する用紙搬送部と、前記用紙搬送部により搬送された印刷物を収納する収納部とを具備する印刷物排紙収納装置において、前記用紙搬送部は、印刷物の印画部に接触させたときに印画部の表面に存在する余分のエマルジョンインキを顔料とそれ以外の成分とに分離して除去する多孔質層と、この多孔質層で分離した顔料以外の成分を吸収して保持する保持層とを有するインキ除去シートによって形成された搬送ベルトを具備する。
【００２８】
したがって、印刷物の印画部の余分なエマルジョンインキを搬送ベルトを兼ねたインキ除去シートの多孔質層により顔料とそれ以外の溶媒成分等の成分とに分離して除去し、顔料以外の溶媒成分等の成分を保持層で吸収して保持することができる。このため、印刷物上の余分なエマルジョンインキの除去能力を高めることが可能となる。
【００２９】
請求項１０記載の印刷物排紙収納装置は、請求項９記載の印刷装置であって、前記インキ除去シートの多孔質層に残ったエマルジョンインキ中の顔料を除去するクリーニング手段を具備する。
【００３０】
したがって、多孔質層によるエマルジョンインキの分離除去作用を長期に亘り促進させることが可能となり、また、インキ除去シートから印刷物への顔料の再転写を防止することが可能となる。
【００３１】
請求項１１記載の印刷物排紙収納装置は、請求項９又は１０記載の印刷装置であって、前記搬送ベルトは、搬送ローラに交換自在に巻回されている。
【００３２】
したがって、インキ除去シートを交換することにより、長期間に亘り印刷物上の余分なエマルジョンインキを除去することが可能となる。
【００３３】
請求項１２記載の印刷物排紙収納装置は、請求項９ないし１１記載の印刷装置であって、前記インキ除去シートの多孔質層に除去されたエマルジョンインキの水分を蒸発させる乾燥手段を具備する。
【００３４】
したがって、多孔質層上のエマルジョンインキは水分が乾燥手段により速やかに蒸発されて粘度が低くなるので、多孔質層上のエマルジョンインキの浸透性が促進され、多孔質層上のエマルジョンインキを短時間で顔料とそれ以外の成分とに分離することが可能となる。
【００３５】
請求項１３記載の印刷物排紙収納装置は、請求項９ないし１２記載の印刷装置であって、前記インキ除去シートの保持層に保持された顔料以外の成分を転移させる転移手段を具備する。
【００３６】
したがって、保持層におけるエマルジョンインキの溶媒成分の吸収能力をさらに高めることが可能となる。
【００３７】
【発明の実施の形態】
本発明の実施の第一の形態における印刷装置を図１に基づいて説明する。本実施の形態における印刷装置Ａは、原稿画像を読み取る画像読取部１と、この画像読取部１により読み取られた画像データに基づいてマスタ２にデータを穿孔形成する製版部３と、この製版部３により製版されたマスタ２を巻回する版胴４を具備する印刷部５と、使用済みのマスタ２を版胴４から剥がして収納する排版部６とを備え、さらに、給紙部７から印刷部５を経て排紙部８に至る用紙搬送経路中に用紙搬送部９が設けられている。
【００３８】
印刷部５は、インキ供給軸１０に回転自在に支持された版胴４の内部に、インキローラ１１とドクターローラ１２とを有し、版胴４に形成されたメッシュ状のスクリーンを間にしてインキローラ１１と対向するプレスローラ１３を進退自在に設けることで転写部１４が形成されている。転写部１４は、インキ供給軸１０からインキローラ１１の外周に供給されたインキを、版胴４に巻回された製版済みのマスタ２及び版胴４のスクリーンとを介して滲み出させてプレスローラ１３によって版胴４に圧接された用紙ｐに転写するものである。
【００３９】
給紙部７は、昇降台１５に積載された用紙ｐを最上層のものから送り出す給紙ローラ１６と、この給紙ローラ１６により送り出された用紙ｐの重送を阻止する分離ローラ１７とを有する。また、プレスローラ１３と用紙搬送部９との間には、印刷済みの用紙（以下、印刷物Ｐと称する）の版胴４への巻き付きを防止する剥離爪１８が版胴４に対して接離自在に設けられている。
【００４０】
用紙搬送部９はプレスローラ１３の近傍から排紙部８に向かう用紙ガイド１９の上面に対向配置され、この用紙搬送部９は、所定の間隔を開けて配置された複数の搬送ローラ２０と、これらの搬送ローラ２０に交換自在に巻回された搬送ベルトを兼ねたエンドレスのインキ除去シート２１と、用紙ガイド１９とは反対側でインキ除去シート２１に対向する吸引ファン２２とにより形成されている。この吸引ファン２２は用紙ガイド１９の上面に送り出された印刷物Ｐを負圧によりインキ除去シート２１に引きつけるもので、インキ除去シート２１には用紙ガイド１９から吸引ファン２２への通気を許容する複数の通孔（図示せず）が形成されている。また、搬送ローラ２０の一方はモータ（図示せず）に連結されている。
【００４１】
ところで、インキ除去シート２１は、印刷物Ｐに転写された余分なエマルジョンインキを除去することにより、印刷物Ｐの乾燥を促進するためのものである。本実施の形態におけるインキ除去シート２１は、印刷物Ｐ上の余分なエマルジョンインキを効率よく除去するために次のように構成されている。
【００４２】
すなわち、インキ除去シート２１は、印刷物Ｐ上の印画部を構成するエマルジョンインキを顔料とそれ以外の成分（エマルジョンインキの溶媒成分等）とに分離して除去する多孔質層（図示せず）と、この多孔質層で分離した顔料以外の溶媒成分等の成分を吸収保持する保持層（図示せず）とを有する。保持層はシート基材（図示せず）の一面に形成され、その表面に多孔質層が形成されている。
【００４３】
この場合、多孔質層は、シリカ、アルミナ等の無機顔料粒子とバインダとからなるもの、特に擬ベーマイトを含むものが好適で、細孔構造としては細孔半径が実質的にインキの顔料粒子の半径よりも小さいことが好ましく、本実施の形態では１〜３０ｎｍである。多孔質層が擬ベーマイトを含む場合、ベーマイト結晶がシート基材に対してｂ軸が垂直に配向していると高い吸収作用が得られるので好ましい。
【００４４】
多孔質層は、例えば、擬ベーマイトゾルと有機バインダとの混合液を塗工液としてシート基材に塗布し、乾燥することにより形成される。具体的には、擬ベーマイトゾルに有機バインダを加えてスラリ状とし、ロールコータ、エアナイフコータ、ブレードコータ、ロッドコータ、バーコータ、コンマコータ等を用いてシート基材に塗布した後に乾燥する。
【００４５】
この場合、擬ベーマイトゾルに混合する有機バインダとしては、澱粉やその変性物、ポリビニルアルコール及びその変性物、スチレン−ブタジエン共重合ゴム（ＳＢＲ）ラテックス、アクリロニトリル−ブタジエン共重合ゴム（ＮＢＲ）ラテックス、カルボキシメチルセルロース、ポリビニルピロリドン等の使用が可能である。このような有機バインダの使用量は、塗工液中に含まれる擬ベーマイトゾルの３〜５０重量％程度が好ましい。３重量％未満の場合には多孔質層の強度が不十分となるおそれがあり、５０重量％を超える場合には、インキの吸収性が損なわれるおそれがある。
【００４６】
さらに、擬ベーマイトを含む多孔質層には、インキの吸収性の向上等を目的として、シリカゲル、アルミナゲル等の複数の顔料を併用することもできる。特に、多孔質層の表面の耐擦傷性を高めるために、多孔質層の上にシリカゲル層を設けることもできる。シリカゲル層の平均粒径を１０〜９０ｎｍとし、固形分濃度を１〜２０重量％のシリカゾルにバインダを加えて塗布すると、塗工膜の耐擦傷性が高くなるので好ましい。
【００４７】
シリカゾルに加えるバインダとしては、多孔質層の形成に使用するものと同様のバインダが使用されるが、特に、珪素含有ポリマーを使用することが好ましい。この場合のバインダの使用量は、シリカゾルの固形分（ＳｉＯ2 換算）に対して１〜３０重量％が好ましい。すなわち、バインダの使用量が１重量％未満の場合はシリカゲル層の機械的強度が不足し、擬ベーマイトの保護効果が不十分になるおそれがあり、バインダの使用量が３０重量％を超えるとインキの吸収性が不足するおそれがある。
【００４８】
このように、上記の塗工液を擬ベーマイトを含む多孔質層の上に塗布し乾燥することによりシリカゲル層を形成するが、その厚さは０．１〜３０μｍ程度が好ましい。０．１μｍ未満の場合には、擬ベーマイトを含む多孔質層の保護効果が充分に得られず耐擦傷性が不足するおそれがあり、３０μｍを超えると塗工膜におけるインキ培養成分の吸収性が損なわれる。シリカゲル層の厚さは０．２〜２μｍであるとさらに好ましい。
【００４９】
さらに、多孔質層の表面は、印刷物Ｐから吸収し表面に残った顔料を効率よく除去するために平滑であることが好ましい。この場合、キャスト法により塗工したり、その他の方法で塗工した後にカレンダリング等の方法により多孔質層の表面を平滑にすることができる。
【００５０】
一方、保持層は、多孔質層が吸収したエマルジョンインキの顔料以外の成分（溶媒成分等）を吸収して保持するものであれば任意の材料を使用することができる。材料によってはシート基材そのものを保持層とすることもでき、或いはシート基材と多孔質層との間に別の層として設けてもよい。具体的には、パルプを原料とする紙や合成紙を用いた多孔質材が基材兼保持層として使用できる。この場合、多孔質層の表面を平滑にする観点から、ある程度平滑な材料を用いることが好ましい。なかでも、エマルジョンインキの保持量が大きく、且つ、エマルジョンインキ吸収時の変形が小さく繰り返しの使用が可能な材料が好ましい。その一例としてはシリカとポリオレフィン樹脂との混合物からなる多孔質材が挙げられる。
【００５１】
さらに、用紙搬送部９の周囲には、インキ除去シート２１の多孔質層に残ったエマルジョンインキ中の顔料を除去するクリーニング手段２３と、インキ除去シート２１の多孔質層に除去されたエマルジョンインキの水分を蒸発させる乾燥手段２４と、インキ除去シート２１の保持層に保持された顔料以外の成分を転移させる転移手段２５とが配設されている。
【００５２】
クリーニング手段２３は、クリーニングローラ２６と、このクリーニングローラ２６によりインキ除去シート２１から除去した顔料を溜めるガードボックス２７とよりなる。クリーニングローラ２６は回転することによりインキ除去シート２１から顔料を払拭することを目的とするもので、インキ除去シート２１に対して線速差が得られる状態で駆動すればよく、回転方向は問わないが、この例ではインキ除去シート２１に対する払拭力を高めるために回転方向が時計方向に定められている。また、クリーニングローラ２６には、表面がブラシ状のローラ、スポンジローラ、発砲ゴムローラ等が用いられている。さらに、クリーニングローラ２６は交換自在である。
【００５３】
乾燥手段２４は、ヒータ２８とこのヒータ２８の熱をインキ除去シート２１に向けて送る送風ファン２９とよりなる。ヒータ２８は、赤外線ヒータ、セラミックヒータ、ハロゲンランプ等を熱源とするランプヒータ、温風ヒータ等のうちの一つが用いられ、発熱量が制御できるものである。
【００５４】
転移手段２５は、インキ除去シート２１の保持層に接触する転移部材である回転自在のローラが用いられている。このローラによる転移手段２５は、ゴムやスポンジ等のようにエマルジョンインキを吸収し易い材料により形成され、交換自在に支持されている。
【００５５】
図１に示す印刷装置Ａにおいて、製版部３では、画像読取部１により読み取られた画像データに基づいてマスタ２にデータを穿孔形成しながら版胴４に供給する。製版済みのマスタ２は版胴４の外周に巻き付けられる。印刷のためのスタート釦（図示せず）を押すと版胴４とインクローラ１１とが時計方向に回転し始める。一方、プレスローラ１３は版胴４から離れているが、昇降台１５上の用紙ｐが給紙され、その先端が版胴４の下部外周を越えるとプレスローラ１３が用紙ｐを版胴４に圧接する。これにより、インキローラ１１に付着するエマルジョンインキが版胴４の内部からマスタ２の画像部を通って滲み出され用紙ｐに転写される。これにより、印刷物Ｐが得られる。この印刷の過程では、搬送ローラ２０がインキ除去シート２１とともに時計方向に駆動されているため、印刷物Ｐはインキ除去シート２１により排紙部８に排紙される。
【００５６】
この排紙過程で、印刷物Ｐ上の印画部の表面の未乾燥のエマルジョンインキはインキ除去シート２１の外層の多孔質層に付着する。多孔質層のシリカゲル層下の擬ベーマイトの細孔半径は、実質的にエマルジョンインキの顔料粒子の半径よりも小さい１〜３０ｎｍであるので、エマルジョンインキは顔料と溶媒成分とに分離され、顔料は多孔質層の表面に残り、溶媒成分は吸収性の高い保持層に吸収されて保持される。これにより、インキ除去シート２１の表面（多孔質層）は液分で飽和しにくくなり、その分インキ吸収能力が高くなるので、印刷物Ｐ上の余分なエマルジョンインキの除去効率を高めることが可能となる。
【００５７】
また、時計方向に回転するインキ除去シート２１に接触するクリーニングローラ２６が時計方向に回転するので、インキ除去シート２１の多孔質層に付着した顔料はクリーニングローラ２６により払拭されガードボックス２７に回収されるので、多孔質層によるエマルジョンインキの分離除去作用を長期にわたり促進させることができる。しかも、インキ除去シート２１から印刷物Ｐへの顔料の再転写を防止することができる。ガードボックス２７に回収された顔料は、ガードボックス２７を取り外すことにより所望の場所に捨てることができる。
【００５８】
この場合、インキ除去シート２１の多孔質層に吸収されたエマルジョンインキの顔料が多孔質層の表面に析出するまでにはある程度の時間が必要であるので、印刷物Ｐ上のエマルジョンインキを吸収する位置からクリーニングローラ２６の位置までは必要に応じた距離が定められている。
【００５９】
一般に、エマルジョンインキは、空気中に放置すると表面から徐々に水分が蒸発し油相比が高くなり低粘度になるが、本実施の形態では乾燥手段２４を具備するので、インキ除去シート２１の多孔質層上のエマルジョンインキは水分が乾燥手段２４により速やかに蒸発されて粘度が低くなる。エマルジョンインキの粘度が低くなると、多孔質層におけるエマルジョンインキの浸透速度が速くなり、多孔質層の表面における顔料が析出される迄の時間が短くなる。これにより、多孔質層上のエマルジョンインキを短時間で顔料とそれ以外の成分とに分離することができ、クリーニングローラ２６による顔料の払拭も容易となる。さらに、乾燥手段２４によりインキ除去シート２１を乾燥すると、多孔質層でのエマルジョンインキの顔料が析出するまでの時間が速くなることに伴い、インキ除去シート２１を短くし、装置の小型化及びコストダウンを図ることができる。
【００６０】
さらに、本実施の形態では、印刷物Ｐ上の余分なエマルジョンインキはインキ除去シート２１の多孔質層により顔料とそれ以外の成分とに分離して除去されるが、保持層で吸収した顔料以外の溶媒等の成分を転移手段２５に転移させることができるので、保持層におけるエマルジョンインキの溶媒成分の吸収能力を高めることができる。
【００６１】
以上のように、インキ除去シート２１は、多孔質層上のエマルジョンインキに含む水分が乾燥手段２４により乾燥され、多孔質層上で析出された顔料がクリーニングローラ２６により除去され、保持層に保持された顔料以外の溶媒等の成分が転移手段２５に転移されるため、インキ除去シート２１の寿命を延長することができる。もちろん、インキ除去シート２１を新しいものに交換することもできる。したがって、排紙部８に印刷物Ｐを積層する場合にエマルジョンインキの裏移りを防止することができる。
【００６２】
このように、印刷物Ｐ上の余分なエマルジョンインキを除去するインキ除去シート２１は、印刷物Ｐを排紙部８に搬送する搬送ベルトの機能を兼ねるため、印刷装置Ａの小型化及びコストダウンを図ることができる。
【００６３】
次に、本発明の実施の第二の形態を図２に基づいて説明する。本実施の形態及びこれに続く他の実施の形態において、前実施の形態と同一部分は同一符号を用い説明も省略する。本実施の形態における印刷装置Ｂの印刷部３０は、上下方向に対向配置された二つの版胴４を有する。これらの版胴４は、それぞれインキローラ１１とドクターローラ１２とを有し、版胴４に形成されたメッシュ状のスクリーンを間にしてインキローラ１１を対向配置することで転写部３１が形成されている。
【００６４】
また、版胴４の数に応じて、それぞれの版胴４に巻き付けるマスタ２を製版する複数の製版部３と、それぞれの版胴４上の使用済みのマスタ２を剥がして収納する複数の排版部６が設けられている。
【００６５】
そして、版胴４と排紙部８との間における用紙搬送経路中に、上下で対をなす用紙搬送部９が配置されている。これらの用紙搬送部９は吸引ファン２２を省略した点以外前実施の形態で説明した用紙搬送部９の構成と同様であり、搬送ベルトを兼ねたエンドレスのインキ除去シート２１を備えている。また、これらの用紙搬送部９のインキ除去シート２１の多孔質層をクリーニングするクリーニング手段２３、インキ除去シート２１を乾燥させる乾燥手段２４、インキ除去シート２１の保持層に吸収された成分を転移させる転移手段２５も備えている。
【００６６】
このような印刷装置Ｂでは、複数の版胴４のそれぞれに、異なるデータに基づいて製版部３により製版されたマスタ２を巻き付け、上方の版胴４を時計方向に回転させ、下方の版胴４を反時計方向に回転させ、上下方向に対向する版胴４の間に用紙ｐを供給する。これにより、用紙ｐの上下両面に一度に画像を印刷する。両面印刷された印刷物は相対向するインキ除去シート２１に挾持されて排紙部８に向けて搬送され、この搬送過程で印刷物の印画部に付着する余分なエマルジョンインキがインキ除去シート２１により除去される。その除去作用は前実施の形態と同様である。なお、この例では相対向する用紙搬送部９のインキ除去シート２１で印刷物Ｐを挾持して搬送するため、印刷物Ｐをインキ除去シート２１に吸引する吸引ファンは不要である。したがって、インキ除去シート２１には吸引ファン側に吸気するための通孔は開けなくてもよい。
【００６７】
次に、本発明の実施の第三の形態を図３に基づいて説明する。本実施の形態は多色印刷に適した印刷装置Ｃの例である。すなわち、印刷部３２は、用紙ｐの搬送経路中に配列した複数の版胴４と、これらの版胴４のそれぞれに接離自在に支持された複数のプレスローラ１３とを備え、個々の版胴４内のインキローラ１１と、プレスローラ１３とを版胴４のスクリーンを間に対向配置することで、用紙搬送方向における異なる位置で用紙ｐに画像を転写する複数の転写部３３，３４が形成されている。なお、上流側の版胴４のインキローラ１１と下流側の版胴４のインキローラ１１に供給するエマルジョンインキの色は異なる。そして、転写部３３，３４の間に、インキ除去シート２１によって形成された搬送ベルトを具備する用紙搬送部９が配設されている。
【００６８】
この用紙搬送部９は図１で説明した用紙搬送部９の構成と同様であり、搬送ベルトを兼ねたエンドレスのインキ除去シート２１を備えている。また、この用紙搬送部９のインキ除去シート２１の多孔質層をクリーニングするクリーニング手段２３、インキ除去シート２１を乾燥させる乾燥手段２４、インキ除去シート２１の保持層に吸収された成分を転移させる転移手段２５も備えている。
【００６９】
本実施の形態における印刷装置Ｃも、版胴４の数に応じて、それぞれの版胴４に巻き付けるマスタ２を製版する複数の製版部３と、それぞれの版胴４上の使用済みのマスタ２を剥がして収納する複数の排版部６が設けられている。また、下流側に配設された版胴４と排紙部８との間には用紙搬送部３５が設けられている。この用紙搬送部３５は、対をなす搬送ローラ２０と、これらの搬送ローラ２０に巻回された搬送ベルト３６と、この搬送ベルト３６に印刷物Ｐを吸引する吸引ファン２２とにより形成されている。
【００７０】
このような印刷装置Ｃでは、複数の版胴４のそれぞれに、異なるデータに基づいて製版部３により製版されたマスタ２を巻き付け、版胴４を時計方向に回転させ、昇降台１５上の用紙ｐを供給する。これにより、用紙ｐは上流側の版胴４とプレスローラ１３とにより挾持搬送される過程で上面に画像が転写された後に、用紙搬送部９により下流側の版胴４に向けて搬送される。この搬送過程で印刷物の印画部に付着する余分なエマルジョンインキがインキ除去シート２１により除去される。その除去作用は前実施の形態と同様である。続いて、下流側の版胴４とプレスローラ１３とにより挾持搬送される過程で上面に画像が転写される。
【００７１】
この例では、用紙ｐが上流側の転写部３３から下流側の転写部３４に向かう迄の時間が短いため、上流側の転写部３３で転写した余分なエマルジョンインキをインキ除去シート２１で除去して下流側の転写部３４に受け渡すことにより、上流側で転写した余分なエマルジョンインキが下流側の版胴４のインキに混ざらないようにしている。また、上流側で転写した余分なエマルジョンインキが下流側の版胴４の表面に移り、さらにそのエマルジョンインキが次の印刷物に再転写される、いわゆるダブリ印刷を防止している。下流側の転写部３４で転写された印刷物Ｐは、搬送ベルト３６により搬送されて排紙部８に収納される。この場合、次の印刷物Ｐが排紙部８に搬送されるまでの間には、その前に印刷された印刷物Ｐ上のエマルジョンインキが自然乾燥されるので、裏移りの心配はない。もちろん、前述の第一の形態のように搬送ベルト３６をインキ除去シート２１によって形成し、そのインキ除去シート２１に印刷物Ｐを吸引ファン２２で引きつけて余分なエマルジョンインキを直ちに除去するようにしてもよい。
【００７２】
次に、本発明の実施の第四の形態を図４に基づいて説明する。本実施の形態は、一回の用紙送りで一つの版胴４により両面印刷を行う印刷装置Ｄの例である。印刷部３７は、対をなすインキローラ１１とドクターローラ１２とを二組備えた一つの版胴４と、個々のインキローラ１１と対向する位置で版胴４の外周に対して接離自在に設けられた二つのプレスローラ１３とにより形成されている。そして、用紙ｐの搬送経路中において上流側（給紙部７側）に位置するインキローラ１１とプレスローラ１３とで転写部３８が形成され、下流側（排紙部８側）に位置するインキローラ１１とプレスローラ１３とで転写部３９が形成されている。これらの転写部３８，３９は版胴４のエマルジョンインキを版胴４のスクリーン及びマスタ２を介して滲み出させた用紙ｐに転写するものである。
【００７３】
また、給紙部７から排紙部８に至る用紙搬送経路の一部には、版胴４の真下においてＶ字形に屈曲されたＶ字型搬送路４０が形成され、このＶ字型搬送路４０の上流側の一側には用紙搬送部３５が配置され、Ｖ字型搬送路４０の下流側の他側に用紙搬送部９が配置され、下流側のプレスローラ１３と排紙部８との間には用紙搬送部９が配置されている。
【００７４】
さらに、Ｖ字型搬送路４０の中央の下方には用紙ｐを垂直方向に案内する用紙案内板４１と、用紙ｐを上方に戻すスプリング４２とが設けられている。Ｖ字形搬送路４０の中央の上部には用紙ｐの搬送方向に応じて回動する切替爪４３が版胴４の軸心と平行な軸心をもって回動自在に設けられている。
【００７５】
このような印刷装置Ｄでは、マスタ２を版胴４に巻き付けたときに、用紙ｐの表面に印刷すべき第一のデータが上流側（給紙部７側）のインキローラ１１側に位置し、用紙ｐの裏面に印刷すべき第二のデータが下流側（排紙部８側）のインキローラ１１側に位置するようにマスタ２を製版部３で製版し、第一のデータと第二のデータとを間隔を開けて製版されたマスタ２を版胴４に巻き付ける。印刷に際しては、版胴４を時計方向にさせるとともに給紙部７により用紙ｐを給紙するが、用紙ｐは上流側のインキローラ１１とプレスローラ１３とにより挾持搬送される過程で、第一のデータが用紙ｐの表面に転写される。この用紙ｐは用紙搬送部３５の吸引ファン２２の負圧により搬送ベルト３６に吸引され、搬送ベルト３６の回転によりスプリング４２を圧縮しながら用紙案内板４１の間に送り込まれる。一定距離送り込まれると搬送ベルト３６が停止し、吸引ファン２２の駆動が停止するため、用紙案内板４１内の用紙ｐはスプリング４２の付勢力により上昇する。このときに、仮想線で示す方向に回動する切替爪４３により用紙ｐが用紙搬送部３５と対向する用紙搬送部９に沿わされ、この用紙搬送部９の吸引ファン２２によりインキ除去シート２１に吸引される。
【００７６】
すなわち、Ｖ字形搬送路４０に配置された用紙搬送部９のインキ除去シート２１は、上流側の転写部３８で転写された画像の余分なエマルジョンインキを除去し、回転によりその用紙ｐを下流側の転写部３９に搬送する。したがって、用紙ｐの表面に印刷した画像の余分なエマルジョンインキが下流側の転写部３９に付着することはない。転写部３９では、第二のデータを用紙ｐの裏面に印刷する。この転写部３９で画像が転写された印刷物Ｐは、本実施の形態では第二のデータが印刷された面である用紙ｐの裏面を上に向けてさらに用紙搬送部９のインキ除去シート２１により排紙部８に排紙される過程で、余分なエマルジョンインキがインキ除去シート２１により除去される。
【００７７】
なお、前述した製版過程において、第一のデータが下流側（排紙部８側）のインキローラ１１側に位置し、第二のデータが上流側（印字部７側）のインキローラ１１側に位置するようにマスタ２を製版部３で製版すれば、印刷物Ｐは第一のデータが印刷された面を上に向けて排紙部８に排紙される。
【００７８】
次に、本発明の実施の第五の形態を図５に基づいて説明する。本実施の形態も両面印刷に適した印刷装置Ｅの例である。この印刷装置Ｅの印刷部４４は、用紙ｐの搬送経路中に配列した複数の版胴４と、これらの版胴４のそれぞれに接離自在に支持された複数のプレスローラ１３とを備え、個々の版胴４内のインキローラ１１と、プレスローラ１３とを版胴４のスクリーンを間に対向配置することで、用紙搬送方向における異なる位置で用紙ｐに画像を転写する複数の転写部４５，４６が形成されている。そして、転写部４５，４６の間に、インキ除去シート２１によって形成された搬送ベルトを具備する用紙搬送部９が配設されている。この例では、給紙部７側の版胴４は下方に位置し、排紙部８側の版胴４は上方に位置しているため、用紙搬送経路は下方から上方に向けてＵ字形に湾曲されている。
【００７９】
用紙搬送部９は図１で説明した用紙搬送部９と基本的には同様の構成で、転写部４６を形成するプレスローラ１３と搬送ローラ２０と転写手段（転写ローラ）２５に搬送ベルトを兼ねたエンドレスのインキ除去シート２１を巻回することにより形成されている。複数の搬送ローラ２０のうちの一つはプレスローラ１３よりも上流側に配置され、下流側の転写部４６の手前で用紙ｐにインキ除去シート２１を接触させるように構成されている。また、この用紙搬送部９のインキ除去シート２１の多孔質層をクリーニングするクリーニング手段２３、インキ除去シート２１を乾燥させる乾燥手段２４も備えている。さらに、上流側の版胴４と下流側の版胴４との間には複数の用紙搬送ベルト４７が配列され、下流側に配設された版胴４と排紙部８との間には用紙搬送部３５が設けられている。
【００８０】
本実施の形態における印刷装置Ｅも、版胴４の数に応じて、それぞれの版胴４に巻き付けるマスタ２を製版する複数の製版部３と、それぞれの版胴４上の使用済みのマスタ２を剥がして収納する複数の排版部６が設けられている。
【００８１】
このような印刷装置Ｅでは、複数の版胴４のそれぞれに、異なるデータに基づいて製版部３により製版されたマスタ２を巻き付け、上流側の版胴４を反時計方向に回転させ、下流側の版胴４を時計方向に回転させ、昇降台１５上の用紙ｐを供給する。これにより、用紙ｐは上流側の転写部４５において版胴４とプレスローラ１３とにより挾持搬送される過程で上面に画像が転写された後に、用紙搬送ベルト４７と用紙搬送部９とにより下流側の版胴４に向けて搬送される。この搬送過程で印刷物Ｐに付着する余分なエマルジョンインキがインキ除去シート２１により除去される。さらに、下流側の版胴４とプレスローラ１３とにより挾持搬送される過程で転写部４６において画像が転写される。この転写後も転写部４５で転写されて印刷物Ｐの下面に付着する余分なエマルジョンインキは、印刷物Ｐがインキ除去シート２１から離れるまでこのインキ除去シート２１により除去される。
【００８２】
さらに、本発明の実施の第六の形態を図６に基づいて説明する。本実施の形態における印刷装置Ｆは、基本的に図５に示す印刷装置Ｅと同様である。異なる点は、上流側の版胴４から下流側の版胴４に至る用紙搬送経路が略水平になるように、給紙部７、この給紙部７に近い上流側の版胴４及びプレスローラ１３、並びに上流側の版胴４のための製版部３、排版部６の配置を変更したことである。したがって、図５に示す印刷装置Ｅの構成によって得られる効果と同様の効果を得ることができる。
【００８３】
なお、版胴４はインキローラ１１とドクターローラ１２とを内蔵しているが、版胴４のスクリーンの内周面に対してインキローラ１１を進出位置と退避位置とに進退自在に支持し、用紙ｐにエマルジョンインキを転写するときには、版胴４内のインキローラ１１を外方に進出させてスクリーンを押し出し、そのスクリーンをこの版胴と対向するプレスローラ或いは他の版胴に圧接させることにより、内部のエマルジョンインキの滲み出し作用を促進するようにしてもよい。
【００８４】
さらに、本発明の実施の第七の形態を図７に基づいて説明する。図５及び図６において説明した部分と同一部分は同一符号を用い説明も省略する。図５及び図６における印刷部４４は、用紙搬送方向における異なる位置で用紙ｐに片面ずつ画像を転写する複数の転写部４５，４６を備えている。本実施の形態では、下流側の転写部４６に、インキ除去シート２１によって形成された搬送ベルトを具備する用紙搬送部９が配設されている。具体的には、下流側の版胴４とプレスローラ１３とで下流側の転写部４６が形成されているが、用紙搬送部９はプレスローラ１３とローラ２０とロール状の転移手段２５とにインキ除去シート２１がその多孔質層を内側に向けて巻回することにより形成されている。
【００８５】
図７では、用紙搬送部９のインキ除去シート２１と、用紙搬送ベルト４７とはラップしていないので、用紙搬送ベルト４７は一端が転写部４６における版胴４とプレスローラ１３とのニップにできるだけ近付けるように配置することが用紙ｐを受け渡す上で好ましい。
【００８６】
このような構成では、上流側の転写部４５により用紙ｐの一方の面に転写した画像の余分なエマルジョンインキを、下流側の転写部４６により用紙ｐの他方の面に画像を転写するときに除去することができる。この場合、用紙ｐは版胴４によりインキ除去シート２１に圧接されるため、インキ除去作用をより一層促進させることができる。
【００８７】
さらに、本発明の実施の第八の形態における印刷物排紙収納装置Ｇを図８に基づいて説明する。この印刷物排紙収納装置Ｇは、前実施の形態における印刷装置ＡないしＦの何れかに選択的に装着されて使用される。この場合、排紙部８は印刷装置ＡないしＦから取り外される。
【００８８】
印刷物排紙収納装置Ｇは、印刷装置ＡないしＦの何れかによりエマルジョンインキを用いて印刷された印刷物Ｐを搬送する用紙搬送部４８と、この用紙搬送部４８により搬送された印刷物Ｐを収納する収納部４９とを主要な構成としている。収納部４９は、いわゆるソータと称せられる構成をもち、複数のビンユニット５０と、このビンユニット５０を昇降させる昇降手段５１とよりなる。
【００８９】
ビンユニット５０は、複数のビン５２と、これらのビン５２の先端部の両側を上下方向に揺動可能に支持する筐体５３と、ビン５２の後端側の両側に設けられた軸５４を上下方向に移動自在に支持するガイドレール（図示せず）とにより形成されている。
【００９０】
昇降手段５１は、各ビン５２両側に配置されて正逆回転可能なモータ５５に駆動される一対の駆動軸５６と、これらの駆動軸５６の中間部に固定的に設けられたリードカム５７とにより形成されている。これらのリードカム５７には、ビン５２の軸５４が緩めに嵌合される螺旋溝５８が形成されている。すなわち、リードカム５７が駆動軸５６とともに回転すると、軸５４がリードカム５７の螺旋溝５８に沿って移動するためビン５２が上方又は下方に移動するように構成されている。その移動方向は駆動軸５６の回転方向により決まる。また、駆動軸５６の上端には駆動軸５６の回転角を検知してモータ５５の動作を制御するためのエンコーダ５９が設けられている。
【００９１】
用紙搬送部４８は、印刷装置ＡないしＦで用いた用紙搬送部９と同様の構成で、所定の間隔を開けて配置された複数の搬送ローラ２０と、これらの搬送ローラ２０に交換自在に巻回された搬送ベルトを兼ねたエンドレスのインキ除去シート２１と、印刷物Ｐを吸引する吸引ファン２２とにより形成されている。この用紙搬送部４８のビン５２側の上部には印刷物Ｐの通過を光学的に検知してモータ５５を駆動させるための信号を出力するセンサ６０が設けられている。
【００９２】
このような構成において、通常、ビン５２及び筐体５３は所定の下降位置に位置する状態に維持されるが、印刷装置Ａ〜Ｆからの駆動信号を受けると、駆動軸５６がモータ５５により一方向に駆動される。この動作に連動して筐体５３が上昇するとともに、ビン５２が所定位置まで上昇する。このときのビン５２の所定位置とは、一番上のビン５２が用紙搬送部４８から搬送される印刷物Ｐを受け入れる位置である。この状態で最初の印刷物Ｐが用紙搬送部４８により一番上のビン５２の上に搬送されると、その状態をセンサ６０が検知するため、その検知信号をトリガとしてモータ５５が正転方向に駆動され、駆動軸５６がリードカム５７とともに一回転する。これにより、次段のビン５２が次に搬送される印刷物Ｐを受け入れる位置まで上昇する動作が繰り返され、印刷物Ｐの丁合いが行われる。
【００９３】
このように、印刷物排紙収納装置Ｇに収納する過程では、印刷物Ｐがインキ除去シート２１に接触するため、前述したように印刷物Ｐ上の余分なエマルジョンインキの除去効率を高めることができる。
【００９４】
次に、本発明の実施の第九の形態における印刷物排紙収納装置Ｈを図９及び図１０に示す。第八の実施の形態において説明した部分と同一部分は同一符号を用い説明も省略する。この印刷物排紙収納装置Ｈは、前実施の形態における印刷装置ＡないしＦの何れかに選択的に装着されて使用される。この場合、排紙部８は印刷装置ＡないしＦから取り外される。
【００９５】
図９は印刷物Ｐを搬送方向上流側から見た印刷物排紙収納装置Ｈの概略構成を示す側面図、図１０は印刷物排紙収納装置Ｈの内部の概略構造を示す平面図である。印刷物排紙収納装置Ｈは、印刷装置ＡないしＦの何れかから排紙される印刷物Ｐを搬送する用紙搬送部４８と、この用紙搬送部４８により搬送された印刷物Ｐを積層状態で収納する収納部６１（図９参照）とを備え、さらに本実施の形態では、用紙搬送部４８から搬送された印刷物Ｐの両側縁を一時的に支持するとともに順次収納部６１に搬送する複数の螺旋軸６２〜６５を備えている。収納部６１は図９に示すように筐体６６の上部に形成され、螺旋軸６２〜６５は収納部６１の下部空間の両側に二本ずつ分かれて配列されている。螺旋軸６２〜６５は螺旋の山で印刷物Ｐの両側縁を支えるもので、印刷物Ｐの一側縁を支える螺旋軸６２，６３と、印刷物Ｐの他側縁を支える螺旋軸６４，６５とは、螺旋の向きが対称であるとともに、印刷物Ｐを収納部６１に向けて搬送するときの回転方向が対称である。
【００９６】
このような構成において、印刷装置Ａ〜Ｆの何れかから排紙された印刷物Ｐは用紙搬送部４８により螺旋軸６２，６３と螺旋軸６４，６５との間に搬送され、両側縁が螺旋軸６２，６３と螺旋軸６４，６５とにより支えられる。印刷物Ｐが螺旋軸６２，６３と螺旋軸６４，６５との間に搬送されると、その状態を図示しないセンサが検知するため、その検知信号をトリガとして螺旋軸６２〜６５が図示しないモータにより例えば一回転分の角度だけ間欠的に駆動される。このような制御は後続する印刷物Ｐが用紙搬送部４８により搬送される度に行われる。
【００９７】
したがって、印刷物Ｐは螺旋軸６２〜６５により搬送される過程では、上下方向に隣接する印刷物Ｐに対して所定の間隔を開けて支えられる。さらに、用紙搬送部４８により搬送される過程では印刷物Ｐがインキ除去シート２１に接触して余分なエマルジョンインキが除去されるため、多数枚の印刷物Ｐを収納部６１内に重ねて収納しても、印画部のエマルジョンインキが重なる印刷物Ｐに付着することがない。
【００９８】
このような印刷物排紙収納装置Ｈでは、一側に配列された螺旋軸６２，６３と他側に配列された螺旋軸６４，６５との間隔を、印刷物Ｐの幅サイズに応じて調節するようにしてもよい。
【００９９】
なお、図８に示す印刷物排紙収納装置Ｇ、図９及び図１０に示す印刷物排紙収納装置Ｈの用紙搬送部４８に、印刷装置Ａ〜Ｆで用いたクリーニング手段２３、乾燥手段２４、転移手段２５を具備することも可能である。これらによる効果は前述した通りである。
【０１００】
【発明の効果】
請求項１記載の印刷装置によれば、印刷物の印画部の余分なエマルジョンインキを搬送ベルトを兼ねたインキ除去シートの多孔質層により顔料とそれ以外の溶媒成分等の成分とに分離して除去し、顔料以外の溶媒成分等の成分を保持層で吸収して保持することができる。このため、印刷物上の余分なエマルジョンインキの除去能力を高めることができる。さらに、用紙搬送部の搬送ベルトをインキ除去シートで形成することにより、印刷物の余分なエマルジョンインキを除去する装置を別個に設ける必要性をなくすことができ、これにより、小型化及びコストダウンを図ることができる。
【０１０１】
請求項２記載の印刷装置によれば、印刷済みの用紙を排紙部に排紙する前に余分なエマルジョンインキを除去することができる。
【０１０２】
請求項３記載の印刷装置によれば、上流側の転写部により用紙に転写した画像の余分なエマルジョンインキを除去した状態で次工程の転写部に用紙を搬送することができる。
【０１０３】
請求項４記載の印刷装置によれば、上流側の転写部により用紙の一方の面に転写した画像の余分なエマルジョンインキを、下流側の転写部により用紙の他方の面に画像を転写するときに除去することができる。この場合、用紙とインキ除去シートとは転写部において挾持されるため、インキ除去作用をより一層促進させることができる。
【０１０４】
請求項５記載の印刷装置によれば、多孔質層によるエマルジョンインキの分離除去作用を長期にわたり促進させることができる。また、インキ除去シートから印刷物への顔料の再転写を防止することができる。
【０１０５】
請求項６記載の印刷装置によれば、インキ除去シートを交換することにより、長期間にわたり印刷物上の余分なエマルジョンインキを除去することができる。
【０１０６】
請求項７記載の印刷装置によれば、多孔質層上のエマルジョンインキは水分が乾燥手段により速やかに蒸発されて粘度が低くなるので、多孔質層上のエマルジョンインキの浸透性を促進することができ、これにより、多孔質層上のエマルジョンインキを短時間で顔料とそれ以外の成分とに分離することができる。
【０１０７】
請求項８記載の印刷装置によれば、保持層におけるエマルジョンインキの溶媒成分の吸収能力をさらに高めることができる。
【０１０８】
請求項９記載の印刷物排紙収納装置によれば、印刷物の印画部の余分なエマルジョンインキを搬送ベルトを兼ねたインキ除去シートの多孔質層により顔料とそれ以外の溶媒成分等の成分とに分離して除去し、顔料以外の溶媒成分等の成分を保持層で吸収して保持することができる。このため、印刷物上の余分なエマルジョンインキの除去能力を高めることができる。さらに、用紙搬送部の搬送ベルトをインキ除去シートで形成することにより、印刷物の余分なエマルジョンインキを除去する装置を別個に設ける必要性をなくすことができ、これにより、小型化及びコストダウンを図ることができる。
【０１０９】
請求項１０記載の印刷物排紙収納装置によれば、多孔質層によるエマルジョンインキの分離除去作用を長期に亘り促進させることが可能となり、また、インキ除去シートから印刷物への顔料の再転写を防止することができる。
【０１１０】
請求項１１記載の印刷物排紙収納装置によれば、インキ除去シートを交換することにより、長期間に亘り印刷物上の余分なエマルジョンインキを除去することができる。
【０１１１】
請求項１２記載の印刷物排紙収納装置によれば、多孔質層上のエマルジョンインキは水分が乾燥手段により速やかに蒸発されて粘度が低くなるので、多孔質層上のエマルジョンインキの浸透性が促進され、多孔質層上のエマルジョンインキを短時間で顔料とそれ以外の成分とに分離することができる。
【０１１２】
請求項１３記載の印刷物排紙収納装置によれば、保持層におけるエマルジョンインキの溶媒成分の吸収能力をさらに高めることができる。
【図面の簡単な説明】
【図１】本発明の実施の第一の形態における印刷装置の概略構成を示す縦断正面図である。
【図２】本発明の実施の第二の形態における印刷装置の概略構成を示す縦断正面図である。
【図３】本発明の実施の第三の形態における印刷装置の概略構成を示す縦断正面図である。
【図４】本発明の実施の第四の形態における印刷装置の概略構成を示す縦断正面図である。
【図５】本発明の実施の第五の形態における印刷装置の概略構成を示す縦断正面図である。
【図６】本発明の実施の第六の形態における印刷装置の概略構成を示す縦断正面図である。
【図７】本発明の実施の第七の形態における印刷装置の要部の概略構成を示す縦断正面図である。
【図８】本発明の実施の第八の形態における印刷物排紙収納装置の概略構成を示す縦断正面図である。
【図９】本発明の実施の第九の形態における印刷物排紙収納装置の概略構成を示す側面図である
【図１０】印刷物排紙収納装置の内部の概略構造を示す平面図である。
【符号の説明】
Ａ〜Ｆ  印刷装置
Ｇ，Ｈ  印刷物排紙収納装置
Ｐ  印刷物
ｐ  用紙
５  印刷部
７  給紙部
８  排紙部
９  用紙搬送部
２１  インキ除去シート、搬送ベルト
２３  クリーニング手段
２４  乾燥手段
２５  転移手段
３０，３２  印刷部
３３，３４  転写部
３７  印刷部
３８，３９  転写部
４４  印刷部
４５，４６  転写部
４８  用紙搬送部
４９，６１  収納部
【図１】
0004265826.tif 000002
【図２】
0004265826.tif 000003
【図３】
0004265826.tif 000004
【図４】
0004265826.tif 000005
【図５】
0004265826.tif 000006
【図６】
0004265826.tif 000007
【図７】
0004265826.tif 000008
【図８】
0004265826.tif 000009
【図９】
0004265826.tif 000010
【図１０】
0004265826.tif 000011